(57)【要約】【課題】  内部に泥が溜まり難くするとともに、内部の泥がスムーズに排出されるようにすること。【解決手段】  本発明の除草用ロータ１は、略円弧状の外形に形成された複数の抵抗板３が、水平軸周りに互いに間隔をあけて仮想円筒のカゴ状に配設されるとともに、前記水平軸で回転自在に軸支可能に構成されており、抵抗板３の長手方向の中央部が前記仮想円筒の周方向に略Ｖ字状に折曲されてなっている。抵抗板３の外周縁部には、前記仮想円筒の幅方向に間隔をあけて１又は２以上の突起部４が形成されており、隣接する抵抗板３同士で、前記仮想円筒の幅方向における突起部４の配設位置を互いにずらしてある。【選択図】      図１
2013233099.tif 000002
【特許請求の範囲】
【請求項１】
略円弧状の外形に形成された複数の抵抗板が、水平軸周りに互いに間隔をあけて仮想円筒のカゴ状に配設されるとともに、前記水平軸で回転自在に軸支可能に構成されており、
前記抵抗板の長手方向の中央部が前記仮想円筒の周方向に略Ｖ字状に折曲されてなる除草用ロータ。
【請求項２】
前記抵抗板の外周縁部には、前記仮想円筒の幅方向に間隔をあけて１又は２以上の突起部が形成されており、
隣接する前記抵抗板同士で、前記仮想円筒の幅方向における該突起部の配設位置を互いにずらしてある請求項１記載の除草用ロータ。
【発明の詳細な説明】
【技術分野】
【０００１】
本発明は、水田に条植えされた苗の周囲に生育する雑草を除草するための除草用ロータに関するものである。
【背景技術】
【０００２】
従来の除草用ロータとしては、例えば、特許文献１〜４に開示されたものがある。一例として、特許文献４の条間除草手段１１０Ｂのロータ１４３について説明すると、図５に示すように、条間除草手段１１０Ｂは、傾動片１６０の後端部に略コ字状のブラケット１４０が固定され、該ブラケットに固定軸１４１が取り付けられている。固定軸１４１には、複数本の棒状部材１４２が周方向に間隔をあけて取り付けられ、仮想円筒のカゴ状に形成されたロータ１４３を回転自在に支承させている。
【先行技術文献】
【特許文献】
【０００３】
【特許文献１】特開２００２−２０４６０３号公報（段落００３７、図１）
【特許文献２】特開２００５−１８５１１３号公報（段落００１７、図１）
【特許文献３】特開２００６−２２３２７２号公報（段落００１７、図３、図５）
【特許文献４】特開２００６−３４０６５２号公報（段落００３２、図３、図４）
【発明の概要】
【発明が解決しようとする課題】
【０００４】
ところが、従来のロータ１４３は、その内側に田土が入ることにより、田土の撹拌を行うようになっているが、圃場内に水が無い箇所や粘土質の圃場などにおいては、ロータ１４３から田土が抜け落ちないことがある。すると、田土がロータ１４３の内部に溜まることにより樽状になり、終いにはロータ１４３が回転しなくなって、泥を押して進むようになる。このようにロータ１４３が回転しないと、内部の田土がさらに排出され難くなる上に、作物を傷めるようになる。
【課題を解決するための手段】
【０００５】
前記課題を解決するために、本発明の除草用ロータは、
略円弧状の外形に形成された複数の抵抗板が、水平軸周りに互いに間隔をあけて仮想円筒のカゴ状に配設されるとともに、前記水平軸で回転自在に軸支可能に構成されており、
前記抵抗板の長手方向の中央部が前記仮想円筒の周方向に略Ｖ字状に折曲されてなっている。
【０００６】
この構成によれば、前記抵抗板は、その長手方向の中央部が前記仮想円筒の周方向に略Ｖ字状に折曲されてなっているので、一枚で前記周方向の広範囲をカバーできる。このため、従来のロータにおける棒状部材よりも少ない数で前記仮想円筒のカゴ状に形成することができ、その周囲が従来よりも開放状態となるので、内部に泥が溜まり難くすることができる。
【０００７】
前記除草用ロータとしては、
前記抵抗板の外周縁部には、前記仮想円筒の幅方向に間隔をあけて１又は２以上の突起部が形成されており、
隣接する前記抵抗板同士で、前記仮想円筒の幅方向における該突起部の配設位置を互いにずらしてある態様を例示する。
【０００８】
この構成によれば、内部に泥が溜まった場合でも、前記突起部が圃場面に食い込むことで除草用ロータを回転させることができ、遠心力により内部の泥の排出を促すことができる。
【発明の効果】
【０００９】
本発明に係る除草用ロータによれば、内部に泥が溜まり難くすることができるという優れた効果を奏する。
【図面の簡単な説明】
【００１０】
【図１】本発明を具体化した一実施形態に係る除草用ロータを備えた水田除草機の平面図である。
【図２】同水田除草機における除草装置の平面図である。
【図３】同除草装置の側面図である。
【図４】同除草装置の除草用ロータの斜視図である。
【図５】従来の除草用ロータの斜視図である。
【発明を実施するための形態】
【００１１】
図１〜図４は本発明を具体化した一実施形態の除草用ロータ１を備えた水田除草機１１を示しており、各図において矢印Ｆは機体前側を指し示している。この水田除草機１１は、水田に条植えされた稲苗Ｎの周囲に生育する雑草を除草する４条用のものであり、前輪１２と左右一対の後輪１３とにわたって前後方向に機体１４が縦断支持され、該機体１４の後部中央部に操縦用ハンドル及び乗用座席（図示略）が設けられ、後輪１３を回転駆動するエンジン１７が搭載されている。
【００１２】
前輪１２と後輪１３との間で乗用走行機体１４の下部には、平行四連式リンク機構及び油圧シリンダ（図示略）を介して、除草装置２０が乗用走行機体１４に対して上下に平行移動可能（昇降可能）に取り付けられている。
【００１３】
除草装置２０は、図１に示すように、機体１４の走行方向に対して直交する左右方向において稲苗Ｎの植付け条間隔に対応する間隔を隔てて、前後方向に延在する５個のフレーム３２が並設されており、各フレーム３２の前端に昇降可能かつ傾動可能に連結された接地ソリ３３と、この接地ソリ３３の前部に配置されたタイン３４からなる株間除草手段２０Ａと、接地ソリ３３の後部に配置されてタイン３４により引き抜かれた雑草を土中に押し込むように作用する回転羽根部材３８と、フレーム３２から斜め後方下方に向けて延出させた傾動片３９の後端部に回転自在に支承された回転ロータ式の条間除草手段２０Ｂとを備えている。
株間除草手段２０Ａは植付け条における株間に左右方向の側方からタイン３４により除草作用を行うものであり、条間除草手段２０Ｂは植付け条間の除草作用を行うものである。
【００１４】
条間除草手段２０Ｂは、図２〜図４に示すように、傾動片３９の後端部に略コ字形状のブラケット４０が固定され、該ブラケット４０に水平軸としての固定軸４１が取り付けられている。固定軸４１には除草用ロータ１を回転自在に支承させている。
【００１５】
除草用ロータ１は、一対の固定軸４１にそれぞれ回転自在に軸支される一対の軸受け部２を有するとともに、該一対の軸受け部２には、略円弧状の外形に形成された複数の抵抗板３が、固定軸周りに互いに間隔をあけて仮想円筒のカゴ状に配設されている。このように抵抗板３を前記仮想円筒の径方向外方に張り出す略円弧状に形成することにより、軸受け部２を小径に形成することを可能にし、これにより、該仮想円筒の側面部が開放状態となるようにしている。抵抗板３の長手方向の中央部３ａは、前記仮想円筒の周方向かつ反回転方向に略Ｖ字状に折曲されている。また、抵抗板３の外周縁部には、前記仮想円筒の幅方向に間隔をあけて７つの突起部４が形成されている。そして、隣接する抵抗板３同士では、前記仮想円筒の幅方向における該突起部４の配設位置を互いにずらしてある。
【００１６】
以上のように構成された本例の除草用ロータ１によれば、抵抗板３は、その長手方向の中央部が前記仮想円筒の周方向に略Ｖ字状に折曲されてなっているので、一枚で前記周方向の広範囲をカバーできる。このため、従来のロータにおける棒状部材よりも少ない数で前記仮想円筒のカゴ状に形成することができ、その周囲が従来よりも開放状態となるので、内部に泥が溜まり難くすることができる。
【００１７】
また、抵抗板３の外周縁部には、前記仮想円筒の幅方向に間隔をあけて複数の突起部４が形成されており、隣接する抵抗板３同士で、前記仮想円筒の幅方向における該突起部４の配設位置を互いにずらしてあるので、除草用ロータ１の内部に泥が溜まった場合でも、突起部４が圃場面に食い込むことで除草用ロータ１を回転させることができ、遠心力により内部の泥の排出を促すことができる。
【００１８】
なお、本発明は前記実施形態に限定されるものではなく、例えば以下のように、発明の趣旨から逸脱しない範囲で適宜変更して具体化することもできる。
（１）抵抗板３の枚数や、突起部４の数を適宜変更すること。
（２）抵抗板３や突起部４の形状を適宜変更すること。
（３）抵抗板３の長手方向における複数箇所をＶ字状に折曲すること。
（４）除草用ロータ１側に軸を設け、ブラケット４０側に該軸が回転自在に軸支される軸受け部を設けること。
【符号の説明】
【００１９】
１    除草用ロータ
２    軸受け部
３    抵抗板
３ａ  中央部
４    突起部
１１    水田除草機
１２    前輪
１３    後輪
１４    機体
１７    エンジン
２０    除草装置
２０Ａ  株間除草手段
２０Ｂ  条間除草手段
３２    フレーム
３３    接地ソリ
３４    タイン
３８    回転羽根部材
３９    傾動片
４０    ブラケット
４１    固定軸
Ｆ    機体前方
Ｎ    稲苗
【図１】
2013233099.tif 000003
【図２】
2013233099.tif 000004
【図３】
2013233099.tif 000005
【図４】
2013233099.tif 000006
【図５】
2013233099.tif 000007